(57)【要約】【課題】広告配信後の相対的に早いタイミングにおいて、ユーザが広告情報に興味を持ってくれたか否かをより高い確度で判断することが可能な情報処理装置等を提供する。【解決手段】本発明の一実施形態に係る情報処理装置は、ユーザ端末４０の表示装置４６に、ユーザをその内容に関連する所定の行動に誘導するナビゲーション要素を含む広告情報を表示させる広告情報配信部２０４を備える。また、本発明の他の実施形態に係る情報処理装置は、ユーザ端末４０の表示装置４６に、ユーザをその内容に関連する所定の行動に誘導するナビゲーション要素を含む広告情報を表示させる広告情報表示処理部４０１を備える。【選択図】図３
2020119258.tif 000002
【特許請求の範囲】
【請求項１】
ユーザ端末の表示装置に、ユーザをその内容に関連する所定の行動に誘導するナビゲーション要素を含む広告情報を表示させる制御部を備える、
情報処理装置。
【請求項２】
前記ナビゲーション要素は、前記ユーザ端末のスケジューラ機能を用いた、前記広告情報に関連する施設に向かう予定登録に前記ユーザを誘導する第１の要素、前記ユーザ端末のルート案内機能を用いた、前記広告情報に関連する施設へのルート案内に前記ユーザを誘導する第２の要素、及び前記ユーザ端末のブラウザ機能を用いた、前記広告情報に関するウェブページの閲覧に前記ユーザを誘導する第３の要素の少なくとも一つを含む、
請求項１に記載の情報処理装置。
【請求項３】
前記制御部は、前記ユーザが所定の目的地までの移動中に、一の前記広告情報に対応する前記第２の要素が操作された場合、前記目的地までの移動ルートの周辺において、一の前記広告情報に関連する施設があるときに、当該施設を経由地として、前記ユーザに前記ユーザ端末を通じて提案し、前記移動ルートの周辺に一の前記広告情報に関連する施設がないときに、前記移動ルートの周辺において、一の前記広告情報と同じ又は類似するジャンルの他の前記広告情報に関連する施設を経由地として、前記ユーザに前記ユーザ端末を通じて提案する、
請求項２に記載の情報処理装置。
【請求項４】
前記制御部は、前記ユーザが前記目的地までの移動中に、一の前記広告情報に対応する前記第２の要素が操作された場合、前記移動ルート沿いの前記一の広告情報に関連する施設があるときに、当該施設を経由地として、前記ユーザに前記ユーザ端末を通じて提案し、前記移動ルート沿いに一の前記広告情報に関連する施設が無いときに、前記移動ルートの周辺における前記目的地までの別の移動ルート沿いの一の前記広告情報に関連する施設を経由地として、前記ユーザに前記ユーザ端末を通じて提案する、
請求項３に記載の情報処理装置。
【請求項５】
前記制御部は、前記ユーザの移動履歴に関する情報に基づき、前記予定登録及び前記ルート案内のうちの少なくとも一方に対応する前記広告情報に関連する施設を決定する、
請求項２乃至４の何れか一項に記載の情報処理装置。
【請求項６】
前記制御部は、前記ユーザ端末の前記表示装置に表示させるための前記広告情報を、所定の方法で前記ユーザに向けて配信する、
請求項１乃至５の何れか一項に記載の情報処理装置。
【請求項７】
前記ナビゲーション要素を通じて前記ユーザ端末で前記ユーザにより前記所定の行動が行われたか否かを示す、ログ情報を取得するログ情報取得部を更に備える、
請求項１乃至６の何れか一項に記載の情報処理装置。
【請求項８】
前記ログ情報取得部により取得されたログ情報に基づき、前記広告情報の配信による効果検証を行う検証部を更に備える、
請求項７に記載の情報処理装置。
【請求項９】
情報処理装置により実行される情報処理方法であって、
ユーザ端末の表示装置に、ユーザをその内容に関連する所定の行動に誘導するナビゲーション要素を含む広告情報を表示させる制御ステップを含む、
情報処理方法。
【請求項１０】
情報処理装置に、
ユーザ端末の表示装置に、ユーザをその内容に関連する所定の行動に誘導するナビゲーション要素を含む広告情報を表示させる制御ステップを実行させる、
プログラム。
【発明の詳細な説明】
【技術分野】
【０００１】
本発明は、情報処理装置等に関する。
【背景技術】
【０００２】
例えば、メール等のユーザ端末で閲覧可能な方法で配信される広告情報としてのクーポンの利用に関する情報を取得する技術が知られている（例えば、特許文献１参照）。
【０００３】
かかる技術によれば、クーポンの利用に関する情報から配信先のユーザがクーポンに興味を持ってくれたか否かを把握することができる。
【先行技術文献】
【特許文献】
【０００４】
【特許文献１】特開２００７−０５２７４９号公報
【発明の概要】
【発明が解決しようとする課題】
【０００５】
しかしながら、上述の技術では、ユーザの広告情報に関連する商品やサービスへの興味の有無等を判断することができるものの、ユーザが実際にクーポンを利用するまでの間、ユーザが広告情報に興味を持ってくれたかどうかを把握することができない可能性がある。
【０００６】
一方、プッシュ配信される広告情報の開封の有無に関する情報は、配布から間もない段階でユーザ端末からの通知等により取得できるものの、実際に、ユーザが興味を持って開封しているかどうか不明確である。
【０００７】
そこで、上記課題に鑑み、広告配信後の相対的に早いタイミングにおいて、ユーザが広告情報に興味を持ってくれたか否かをより高い確度で判断することが可能な情報処理装置等を提供することを目的とする。
【課題を解決するための手段】
【０００８】
上記目的を達成するため、本発明の一実施形態では、
ユーザ端末の表示装置に、ユーザをその内容に関連する所定の行動に誘導するナビゲーション要素を含む広告情報を表示させる制御部を備える、
情報処理装置が提供される。
【０００９】
本実施形態によれば、情報処理装置は、広告情報に組み込まれるナビゲーション要素を利用して、広告情報に興味を持ったユーザを、ユーザ端末上で広告情報の内容に関連する所定の行動に誘導することができる。よって、情報処理装置は、ナビゲーション要素を通じて所定の行動が行われたか否かを把握することにより、広告配信後のより速いタイミングで、対象のユーザが広告情報に興味をもっているか否かをより高い確度で判断することができる。
【００１０】
また、上述の実施形態において、
前記ナビゲーション要素は、前記ユーザ端末のスケジューラ機能を用いた、前記広告情報に関連する施設に向かう予定登録に前記ユーザを誘導する第１の要素、前記ユーザ端末のルート案内機能を用いた、前記広告情報に関連する施設へのルート案内に前記ユーザを誘導する第２の要素、及び前記ユーザ端末のブラウザ機能を用いた、前記広告情報に関するウェブページの閲覧に前記ユーザを誘導する第３の要素の少なくとも一つを含んでよい。
【００１１】
本実施形態によれば、情報処理装置は、具体的なナビゲーション要素（第１の要素〜第３の要素）を通じて、ユーザ端末上でユーザに具体的な行動を行わせることができる。
【００１２】
また、上述の実施形態において、
前記制御部は、前記ユーザが所定の目的地までの移動中に、一の前記広告情報に対応する前記第２の要素が操作された場合、前記目的地までの移動ルートの周辺において、一の前記広告情報に関連する施設があるときに、当該施設を経由地として、前記ユーザに前記ユーザ端末を通じて提案し、前記移動ルートの周辺に一の前記広告情報に関連する施設がないときに、前記移動ルートの周辺において、一の前記広告情報と同じ又は類似するジャンルの他の前記広告情報に関連する施設を経由地として、前記ユーザに前記ユーザ端末を通じて提案してよい。
【００１３】
本実施形態によれば、情報処理装置は、一の広告情報のルート案内機能を用いるためのナビゲーション要素（第２の要素）の操作に応じて、ユーザが目的地までの移動中に立ち寄りやすい広告情報に関連する施設を現在の移動ルートの経由地として提案することができる。また、情報処理装置は、一の広告情報に関連する施設が現在の移動ルート周辺にない場合であっても、例えば、ユーザが過去に興味を持った同じジャンル或いは類似するジャンルの他の広告情報に関連する施設を、ユーザの移動ルートの周辺で提案することもできる。よって、ユーザの利便性を向上させることができる。
【００１４】
また、上述の実施形態において、
前記制御部は、前記ユーザが前記目的地までの移動中に、一の前記広告情報に対応する前記第２の要素が操作された場合、前記移動ルート沿いの前記一の広告情報に関連する施設があるときに、当該施設を経由地として、前記ユーザに前記ユーザ端末を通じて提案し、前記移動ルート沿いに一の前記広告情報に関連する施設が無いときに、前記移動ルートの周辺における前記目的地までの別の移動ルート沿いの一の前記広告情報に関連する施設を経由地として、前記ユーザに前記ユーザ端末を通じて提案してよい。
【００１５】
本実施形態によれば、情報処理装置は、目的地までの現在の移動ルートの周辺で広告関連施設を提案する際に、現在の移動ルート沿いに一の広告情報に関連する施設がなくても、移動ルートの周辺の別のルート沿いの一の広告情報に関連する施設を提案することができる。よって、情報処理装置は、ユーザの利便性を更に向上させることができる。
【００１６】
また、上述の実施形態において、
前記制御部は、前記ユーザの移動履歴に関する情報に基づき、前記予定登録及び前記ルート案内のうちの少なくとも一方に対応する前記広告情報に関連する施設を決定してよい。
【００１７】
本実施形態によれば、情報処理装置は、ユーザの移動履歴に関する情報に基づき、ユーザの過去の移動経路や行動範囲等を把握することができる。そのため、情報処理装置は、広告情報に含まれるナビゲーション要素の操作に基づく予定登録やルート案内の対象の広告情報に関連する施設を、ユーザの移動経路や行動範囲等に合わせて決定することができる。よって、情報処理装置は、ユーザの利便性を向上させることができる。
【００１８】
また、上述の実施形態において、
前記制御部は、前記ユーザ端末の前記表示装置に表示させるための前記広告情報を、所定の方法で前記ユーザに向けて配信してよい。
【００１９】
本実施形態によれば、情報処理装置は、広告情報をユーザ端末で閲覧可能な方法でユーザに配信することにより、ユーザ端末の表示装置にナビゲーション要素が組み込まれた広告情報を表示させることができる。
【００２０】
また、上述の実施形態において、
前記ナビゲーション要素を通じて前記ユーザ端末で前記ユーザにより前記所定の行動が行われたか否かを示す、ログ情報を取得するログ情報取得部を更に備えてよい。
【００２１】
本実施形態によれば、情報処理装置は、具体的に、ユーザ端末に表示された広告情報のナビゲーション要素を通じて、ユーザによる所定の行動が行われたか否かを把握することができる。
【００２２】
また、上述の実施形態において、
前記ログ情報取得部により取得されたログ情報に基づき、前記広告情報の配信による効果検証を行う検証部を更に備えてよい。
【００２３】
本実施形態によれば、情報処理装置は、ログ情報から各ターゲットユーザがナビゲーション要素を通じて所定の行動を行ったか否かを把握することにより、配信した広告情報の効果検証を行うことができる。
【００２４】
また、本発明の他の実施形態は、情報処理方法、及びプログラムとして実現可能である。
【発明の効果】
【００２５】
上述の実施形態によれば、広告配信後の相対的に早いタイミングにおいて、ユーザが広告情報に興味を持ってくれたか否かをより高い確度で判断することが可能な情報処理装置等を提供することができる。
【図面の簡単な説明】
【００２６】
【図１】広告配信システムの構成の一例を示す概要図である。
【図２】広告配信サーバのハードウェア構成の一例を示す図である。
【図３】広告配信システムの機能構成の一例を示す機能ブロック図である。
【図４Ａ】ユーザ端末の表示装置に表示される配信用広告情報の一例を示す図である。
【図４Ｂ】ユーザ端末の表示装置に表示される配信用広告情報の他の例を示す図である。
【図５】ログ情報の取得処理の一例を概略的に示すフローチャートである。
【図６Ａ】広告関連施設に関する情報提供方法の一例を説明する図である。
【図６Ｂ】広告関連施設に関する情報提供方法の一例を説明する図である。
【図６Ｃ】広告関連施設に関する情報提供方法の一例を説明する図である。
【図６Ｄ】広告関連施設に関する情報提供方法の一例を説明する図である。
【図６Ｅ】広告関連施設に関する情報提供方法の一例を説明する図である。
【図７Ａ】広告配信システムの作用を説明する図である。
【図７Ｂ】広告配信システムの作用を説明する図である。
【発明を実施するための形態】
【００２７】
以下、図面を参照して発明を実施するための形態について説明する。
【００２８】
［広告配信システムの概要］
まず、図１を参照して、本実施形態に係る広告配信システム１の概要について説明する。
【００２９】
広告配信システム１は、広告配信サーバ２０と、複数のユーザに対応する複数のユーザ端末４０を含む。
【００３０】
広告配信システム１は、広告配信サーバ２０からユーザ端末４０に広告情報を配信する。
【００３１】
広告配信サーバ２０（情報処理装置の一例）は、通信ネットワークＮＷを通じて、複数の車両１０のそれぞれと通信可能に接続される。広告配信サーバ２０は、配信対象の広告情報を外部から受け付けると共に、複数のユーザのうちの当該広告情報に対応するターゲットユーザのユーザ端末４０に対して、広告情報を配信する。広告情報は、例えば、商品の購入やサービスの利用に関するクーポン情報である。また、広告配信サーバ２０は、ユーザ端末４０におけるターゲットユーザの行動履歴に対応するログ情報をユーザ端末４０から取得し、広告情報の配信効果を検証する。
【００３２】
ユーザ端末４０は、例えば、スマートフォン、携帯電話、タブレット端末、ラップトップ型のコンピュータ等の携帯端末である。また、ユーザ端末４０は、例えば、デスクトップ型のコンピュータ等の定置端末であってもよい。
【００３３】
ユーザ端末４０は、通信ネットワークＮＷを通じて、広告配信サーバ２０と通信可能に接続される。ユーザ端末４０は、インストールされる所定のアプリケーションプログラム（以下、「広告アプリ」）を通じて、広告配信サーバ２０から配信される広告情報を表示する。
【００３４】
［広告配信システムの構成］
次に、図１に加えて、図２（図２Ａ、図２Ｂ）、図３を参照して、広告配信システム１の構成について説明する。
【００３５】
図２は、広告配信システム１のハードウェア構成の一例を示す図である。具体的には、図２は、広告配信サーバ２０のハードウェア構成の一例を示す図である。図３は、広告配信システム１の機能構成の一例を示す機能ブロック図である。
【００３６】
尚、ユーザ端末４０のハードウェア構成は、広告配信サーバ２０と略同じであるため、以下の説明では、図２Ｂを参照し図示を省略する。以下、ユーザ端末４０の説明では、図２Ｂの符号"２１"、"２１Ａ"、"２２"、"２３"、"２４"、"２５"、"２６"、"２７"、及び"Ｂ２"を、それぞれ、"４１"、"４１Ａ"、"４２"、"４３"、"４４"、"４５"、"４６"、"４７"、及び"Ｂ４"に読み替えて説明を行う。
【００３７】
＜広告配信サーバの構成＞
広告配信サーバ２０は、その機能が任意のハードウェア、或いは、ハードウェア及びソフトウェアの組み合わせにより実現されてよい。図２Ｂに示すように、例えば、広告配信サーバ２０は、ドライブ装置２１と、補助記憶装置２２と、メモリ装置２３と、ＣＰＵ２４と、インタフェース装置２５と、表示装置２６と、入力装置２７を含み、それぞれがバスＢ２で接続される。
【００３８】
広告配信サーバ２０の各種機能を実現するプログラムは、例えば、ＣＤ−ＲＯＭ（Compact Disc Read Only Memory）、ＤＶＤ−ＲＯＭ（Digital Versatile Disc Read Only Memory）、或いは、ＵＳＢ（Universal Serial Bus）メモリ等の可搬型の記録媒体２１Ａによって提供される。プログラムが記録された記録媒体２１Ａが、ドライブ装置２１にセットされると、プログラムが記録媒体２１Ａからドライブ装置２１を介して補助記憶装置２２にインストールされる。また、プログラムは、通信ネットワークを介して他のコンピュータからダウンロードされ、補助記憶装置２２にインストールされてもよい。
【００３９】
補助記憶装置２２は、インストールされた各種プログラムを格納すると共に、必要なファイルやデータ等を格納する。
【００４０】
メモリ装置２３は、プログラムの起動指示があった場合に、補助記憶装置２２からプログラムを読み出して格納する。
【００４１】
ＣＰＵ２４は、メモリ装置２３に格納された各種プログラムを実行し、プログラムに従って広告配信サーバ２０に係る各種機能を実現する。
【００４２】
インタフェース装置２５は、通信ネットワーク（例えば、通信ネットワークＮＷ）に接続するためのインタフェースとして用いられる。
【００４３】
表示装置２６は、例えば、ＣＰＵ２４で実行されるプログラムに従って、ＧＵＩ（Graphical User Interface）を表示する。
【００４４】
入力装置２７は、広告配信サーバ２０に関する様々な操作指示を広告配信サーバ２０の作業者や管理者等に入力させるために用いられる。
【００４５】
図３に示すように、広告配信サーバ２０は、例えば、補助記憶装置２２にインストールされる一以上のプログラムをＣＰＵ２４上で実行することにより実現される機能部として、広告情報受付部２０１と、配信ターゲット抽出部２０３と、広告情報配信部２０４と、ログ情報取得部２０５と、効果検証部２０７を含む。また、広告配信サーバ２０は、広告情報記憶部２０２及びログ情報記憶部２０６等を利用する。広告情報記憶部２０２は、例えば、補助記憶装置２２や、広告配信サーバ２０と通信可能に接続される外部記憶装置等を用いて実現可能である。
【００４６】
広告情報受付部２０１は、外部から配信対象の広告情報、及び広告情報に付随する情報（付随情報）を受け付ける。付随情報には、広告情報の有効期限、ターゲットユーザに関する情報、及び配信タイミングに関する情報等が含まれる。広告情報受付部２０１は、受け付けた広告情報及び付随情報を広告情報記憶部２０２に記憶させる。
【００４７】
広告情報記憶部２０２には、広告情報記憶部２０２により受け付けられた広告情報及び付随情報に固有の識別情報（以下、「広告識別情報」）が付与された上で記憶される。
【００４８】
配信ターゲット抽出部２０３は、広告情報受付部２０１により受け付けられた広告情報ごとに、付随情報（ターゲットユーザに関する情報）に基づき、複数のユーザの中から広告情報のターゲットユーザを抽出する。例えば、配信ターゲット抽出部２０３は、広告情報ごとに予め規定されるターゲットユーザの要件と、複数のユーザごとの属性情報とを比較することにより、ターゲットユーザを抽出してよい。
【００４９】
広告情報配信部２０４（制御部の一例）は、広告情報ごとに、予め規定されたタイミングで、配信ターゲット抽出部２０３により抽出されたターゲットユーザに対応するユーザ端末４０に対して、広告情報を配信（例えば、プッシュ配信）する。具体的には、広告情報配信部２０４は、広告情報記憶部２０２に記憶される広告情報に基づき、ユーザ端末４０上でユーザをその内容に関連する所定の行動に誘導するナビゲーション要素を組み込んだ広告情報（以下、「配信用広告情報」）を生成し、ターゲットユーザのユーザ端末４０に配信する。これにより、広告情報配信部２０４は、ユーザ端末４０の表示装置４６に配信用広告情報を表示させることができる。当該ナビゲーション要素には、例えば、ユーザ端末４０のスケジューラアプリ（スケジューラ部４０２）を用いた、広告情報に関連する施設（以下、「広告関連施設」）に向かう予定登録にユーザを誘導する要素（例えば、後述の予定登録アイコン４１１Ａ，４２１Ａ）（以下、「予定登録誘導要素」）が含まれてよい。また、当該ナビゲーション要素には、例えば、ユーザ端末４０のルート案内アプリを用いた、広告関連施設へのルート案内にユーザを誘導する要素（例えば、後述のルート案内アイコン４１１Ｃ，４２１Ｃ）（以下、「ルート案内誘導要素」）が含まれてもよい。また、当該ナビゲーション要素には、例えば、ユーザ端末４０のブラウザ機能（ウェブブラウザ部４０４）を用いた、広告情報に関するウェブページの閲覧にユーザを誘導する要素（例えば、後述のウェブ閲覧アイコン４１１Ｂ，４２１Ｂ）（以下、「ウェブ閲覧誘導要素」）が含まれてもよい。ナビゲーション要素が組み込まれた広告情報（配信用広告情報）の詳細は後述する（図４Ａ、図４Ｂ等参照）。
【００５０】
尚、広告情報にナビゲーション要素を組み込む処理は、ユーザ端末４０（情報処理装置の一例）（例えば、後述の広告情報表示処理部４０１（制御部の一例））により行われてもよい。
【００５１】
また、広告情報配信部２０４は、ユーザ端末４０に表示される配信用広告情報のナビゲーション要素に対するユーザの操作に基づく広告アプリの動作を制御してもよい。詳細は、後述する（図６Ａ〜図６Ｅ等参照）。
【００５２】
ログ情報取得部２０５は、ユーザ端末４０から受信される、ユーザ端末４０で配信用広告情報に組み込まれるナビゲーション要素を通じてユーザによる所定の行動が行われたか否か（つまり、ユーザが所定の行動に誘導されたか否か）を示すログ情報を取得する。これにより、例えば、効果検証部２０７は、ログ情報が、配信用広告情報に組み込まれるナビゲーション要素を通じてユーザによる所定の行動が行われたことを示す場合に、当該ユーザが配信用広告情報に興味があると判断することができる。ログ情報取得部２０５は、取得したログ情報を、送信元のユーザ端末４０に対応するユーザの識別情報（例えば、複数のユーザごとのユーザＩＤ（Identifier））（以下、「ユーザ識別情報」）及びログ情報に対応する広告識別情報と紐付けてログ情報記憶部２０６に記憶させる。これにより、例えば、効果検証部２０７は、広告識別情報に基づき、ログ情報に対応する配信用広告情報を特定することができると共に、ユーザ識別情報に基づき、ログ情報に対応するユーザを特定することができる。
【００５３】
ログ情報記憶部２０６には、広告識別情報及びユーザ識別情報が紐づけられた、ログ情報が記憶される。ログ情報記憶部２０６には、例えば、広告識別情報、ユーザ識別情報、及びログ情報を含むレコード群（つまり、データベース）が保持される。
【００５４】
尚、ログ情報取得部２０５、ログ情報記憶部２０６の機能は、広告配信サーバ２０と異なる別のサーバ装置に移管されてもよい。
【００５５】
効果検証部２０７（検証部の一例）は、広告情報ごとに、ログ情報記憶部２０６に記憶されるログ情報に基づき、その配信された配信用広告情報の効果を検証する。例えば、効果検証部２０７は、ログ情報に基づき、ターゲットユーザの中から広告情報に興味を持ったユーザを抽出する。これにより、例えば、配信ターゲット抽出部２０３は、ある広告情報の関連広告情報（例えば、同じ広告主のアップグレードクーポン情報）のターゲットユーザとして、当該広告情報に興味を持ったユーザを抽出することができる。よって、ある広告情報に興味を持ったユーザに、更に、関連する広告情報を提供することができるため、広告情報の効果の向上を図ることができる。また、効果検証部２０７は、ログ情報記憶部２０６に記憶されるログ情報に基づき、興味を持ったユーザに関する統計処理を行ってもよい。これにより、効果検証部２０７は、広告情報による効果を統計的に検証することができる。
【００５６】
尚、効果検証部２０７の機能は、広告配信サーバ２０とは異なる別のサーバ装置に移管されてもよい。このとき、ログ情報取得部２０５、ログ情報記憶部２０６、及び効果検証部２０７の機能は、同じサーバ装置に移管されてもよい。
【００５７】
＜ユーザ端末の構成＞
ユーザ端末４０は、広告配信サーバ２０と同様、その機能が任意のハードウェア、或いは、ハードウェア及びソフトウェアの組み合わせにより実現されてよい。図２に示すように、例えば、ユーザ端末４０は、ドライブ装置４１と、補助記憶装置４２と、メモリ装置４３と、ＣＰＵ４４と、インタフェース装置４５と、表示装置４６と、入力装置４７を含み、それぞれがバスＢ４で接続される。
【００５８】
ユーザ端末４０のハードウェア構成は、広告配信サーバ２０のハードウェア構成と略同じであるため、詳細な説明を省略する。
【００５９】
図３に示すように、ユーザ端末４０は、例えば、補助記憶装置４２にインストールされる広告アプリをＣＰＵ４４で実行することにより実現される機能部として、広告情報表示処理部４０１と、ウェブブラウザ部４０４と、ログ情報送信部４０５を含む。また、ユーザ端末４０は、例えば、補助記憶装置４２にインストールされるスケジューラ機能に関するアプリケーションプログラム（以下、「スケジューラアプリ」）及びルート案内機能に関するアプリケーションプログラム（以下、「ルート案内アプリ」）をＣＰＵ４４でそれぞれ実行することにより実現される機能部として、スケジューラ部４０２及びルート案内部４０３を含む。広告アプリは、自身の動作にルート案内アプリ及びスケジューラアプリを連動させることが可能に構成される。
【００６０】
広告情報表示処理部４０１は、広告配信サーバ２０からプッシュ配信される配信用広告情報を表示装置４６に表示させる。具体的には、広告情報表示処理部４０１は、配信用広告情報が広告配信サーバ２０から受信されると、配信用広告情報の概要情報（例えば、広告主の名称やその業態が属するジャンル等）を含む、最新の配信用広告情報が配信されたことを示すプッシュ通知を表示装置４６に表示させる。そして、広告情報表示処理部４０１は、入力装置４７を通じて、配信用広告情報を開封する旨の操作が行われると、配信用広告情報を表示装置４６に表示させる。これにより、ユーザは、概要情報で興味を持った場合だけ、配信用広告情報を表示装置４６に表示させることができる。
【００６１】
スケジューラ部４０２は、入力装置４７を通じたユーザの操作に応じて、日時やその内容を含むユーザの予定を予定表データベースに登録したり、登録済みの予定を表示装置４６に表示させて、ユーザに確認させたりする。このとき、ユーザの予定表データベースは、ユーザ端末４０に構築されてもよいし、例えば、クラウド上のサーバに構築され、他のユーザ端末からも予定表データベースの内容が確認可能な態様であってもよい。
【００６２】
ルート案内部４０３は、所定の施設を探索したり、所定の出発地から所定の目的地までのルート探索を行い、探索結果としてのルートを提示したりする。このとき、後者の出発地や目的地には、前者の探索結果としての施設が指定されうる。
【００６３】
ウェブブラウザ部４０４は、指定されるウェブページの情報を表示装置４６に表示させる。
【００６４】
尚、ウェブブラウザ部４０４の機能は、広告アプリとは別のアプリケーションプログラム、例えば、専用のウェブページ閲覧用のブラウザアプリにより実現されてもよい。この場合、広告アプリは、自身の動作にブラウザアプリを連動させることが可能に構成される。
【００６５】
ログ情報送信部４０５（ログ情報取得部の一例）は、ユーザの入力装置４７を通じた操作履歴に基づき、配信用広告情報に組み込まれるナビゲーション要素を通じてユーザの所定の行動が行われたか否かを示すログ情報を取得し、広告配信サーバ２０にアップロード（送信）する。詳細は、後述する（図６参照）。
【００６６】
［配信用広告情報の具体例］
次に、図４（図４Ａ、図４Ｂ）を参照して、配信用広告情報の具体例について説明する。
【００６７】
図４Ａ、図４Ｂは、それぞれ、表示装置４６に表示される配信用広告情報の一例（配信用広告情報４１０）及び他の例（配信用広告情報４２０）を示す図である。具体的には、図４Ａは、コーヒーが1杯無料になる"バーガー○○○○"のクーポン情報を示し、図４Ｂは、ハンバーガー、フライドポテト、及びソフトドリンクのセット商品が１００円引きになる"□□□□バーガー"のクーポン情報を示す。
【００６８】
図４Ａ、図４Ｂに示すように、配信用広告情報４１０，４２０には、ナビゲーション要素４１１，４２１が組み込まれている。
【００６９】
ナビゲーション要素４１１，４２１には、それぞれ、予定登録アイコン４１１Ａ，４２１Ａと、ウェブ閲覧アイコン４１１Ｂ，４２１Ｂと、ルート案内アイコン４１１Ｃ，４２１Ｃが含まれる。以下、ナビゲーション要素４１１，４２１の機能は同じであるため、ナビゲーション要素４１１を中心に説明を進める。
【００７０】
予定登録アイコン４１１Ａ（第１の要素の一例）は、スケジューラアプリ（スケジューラ部４０２）を起動させ、ユーザが配信用広告情報４１０に関連する施設（具体的には、"バーガー○○○○"の店舗）に向かう予定登録を行うための仮想的な操作対象である。つまり、予定登録アイコン４１１Ａは、配信用広告情報４１０に関連する施設に向かう予定登録にユーザを誘導する。
【００７１】
入力装置４７を通じて予定登録アイコン４１１Ａが操作されると、スケジューラ部４０２は、広告アプリからの要求に応じて、"バーガー○○○○"の店舗に行く予定を登録するための操作画面（以下、「予定登録画面」）を表示装置４６に表示させる。これにより、ユーザは、配信用広告情報４１０の内容に興味を持った場合に、広告アプリに関するアプリ画面を一時的に閉じて、自らスケジューラアプリを起動させるといった操作を省略することができ、ユーザの利便性が向上する。このとき、予定登録画面上における予定の内容（名称）には、"バーガー○○○○"の店舗に行くことを示す文字情報が既に入力されている。これにより、ユーザは、予定登録に際して、予定の名称の入力操作を行う必要がなく、ユーザの利便性が更に向上する。また、予定登録に関する対象の店舗は、特定されていてもよいし、特定されていなくてもよい。対象の店舗が特定される場合、対象の店舗は、ユーザ端末４０に内蔵されるＧＮＳＳ（Global Positioning Satellite System）モジュールで取得される位置情報、ＩＰ（Internet Protocol）アドレス情報、基地局情報等に基づくユーザの現在位置から最寄りの店舗であってよい。また、対象の店舗は、ユーザ端末４０に内蔵されるＧＮＳＳモジュールで取得される位置情報、基地局情報等に基づくユーザの移動履歴から特定されてもよい。具体的には、ユーザの移動履歴に基づき、ユーザの利用頻度が高い店舗が特定されたり、ユーザの通過頻度が高い道路リンク沿いの店舗が特定されたりしてよい。これにより、予定登録画面において、ユーザが良く利用する店舗やよく通過する道路リンク沿いの店舗が自動的に入力されるため、ユーザの利便性が更に向上する。後述するルート案内アイコン４１１Ｃの操作に基づくルート案内の場合の対象の店舗についても同様であってよい。
【００７２】
ウェブ閲覧アイコン４１１Ｂ（第３の要素の一例）は、ウェブブラウザ部４０４を起動させ、ユーザが配信用広告情報に関するウェブページを閲覧するための仮想的な操作対象である。つまり、ウェブ閲覧アイコン４１１Ｂは、配信用広告情報に関するウェブページの閲覧にユーザを誘導する。
【００７３】
入力装置４７を通じてウェブ閲覧アイコン４１１Ｂが操作されると、ウェブブラウザ部４０４は、例えば、"バーガー○○○○"のホームページを表示させる。このとき、ウェブブラウザ部４０４は、トップページを表示させてもよいし、配信用広告情報に関連する特定の商品やサービスのウェブページを表示させてもよい。これにより、ユーザは、配信用広告情報４１０に関する詳細情報を確認することができる。また、ユーザは、配信用広告情報４１０の内容に興味を持った場合に、広告アプリに関するアプリ画面を一時的に閉じて、自らブラウザアプリを起動させるといった操作を省略することができ、ユーザの利便性が向上する。
【００７４】
ルート案内アイコン４１１Ｃ（第２の要素の一例）は、ルート案内アプリを起動させ、ユーザが配信用広告情報４１０に関連する施設（具体的には、"バーガー○○○○"の店舗）へのルート案内を行わせるための仮想的な操作対象である。つまり、ルート案内アイコン４１１Ｃは、配信用広告情報４１０に関連する施設へのルート案内にユーザを誘導する。
【００７５】
入力装置４７を通じてルート案内アイコン４１１Ｃが操作されると、ルート案内部４０３は、広告アプリからの要求に応じて、"バーガー○○○○"の店舗に行くルートを探索し、探索結果としてのルートを表示装置４６に表示させる。これにより、ユーザは、配信用広告情報４１０の内容に興味を持った場合に、広告アプリに関するアプリ画面を一時的閉じて、自らルート案内アプリを起動させるといった操作を省略することができ、ユーザの利便性が向上する。
【００７６】
［ログ情報の取得方法］
次に、図５を参照して、ログ情報の取得方法について説明する。
【００７７】
図５は、ユーザ端末４０のログ情報送信部４０５によるログ情報の取得処理の一例を概略的に示すフローチャートである。
【００７８】
図５に示すように、ステップＳ１０２にて、ログ情報送信部４０５は、興味フラグＦを"０"に初期設定し、ステップＳ１０４に進む。興味フラグＦは、ユーザの配信用広告情報に対する興味の有無及び興味の度合いを表す。具体的には、興味フラグＦは、"０"の場合、配信用広告情報にユーザの興味がないことを表す。また、興味フラグＦは、"１"〜"３"の場合、配信用広告情報にユーザの興味があることを表し、その値が大きいほど、ユーザの興味度合いが高いことを表す。
【００７９】
ステップＳ１０４にて、ログ情報送信部４０５は、対象の配信用広告情報がプッシュ通知された後の所定時間内（例えば、数分内）のユーザ端末４０の操作履歴を取得し、ステップＳ１０６に進む。
【００８０】
ステップＳ１０６にて、ログ情報送信部４０５は、対象の配信用広告情報が開封されたか否かを判定する。対象の配信用広告情報が開封されている場合、ステップＳ１０８に進み、開封されていない場合、ステップＳ１２０に進む。
【００８１】
ステップＳ１０８にて、ログ情報送信部４０５は、配信用広告情報に組み込まれた予定登録誘導対象に対する操作があったか否かを判定する。予定登録誘導対象に対するユーザの操作があった場合、ステップＳ１１０に進み、なかった場合、ステップＳ１１２に進む。
【００８２】
ステップＳ１１０にて、ログ情報送信部４０５は、興味フラグＦを１だけインクリメント（増加）させて、ステップＳ１１２に進む。
【００８３】
ステップＳ１１２にて、ログ情報送信部４０５は、配信用広告情報に組み込まれたルート案内誘導対象に対するユーザの操作があったか否かを判定する。ログ情報送信部４０５は、ルート案内誘導対象に対するユーザの操作があった場合、ステップＳ１１４に進み、なかった場合、ステップＳ１１６に進む。
【００８４】
ステップＳ１１４にて、ログ情報送信部４０５は、興味フラグＦを１だけインクリメント（増加）させて、ステップＳ１１６に進む。
【００８５】
ステップＳ１１６にて、ログ情報送信部４０５は、対象の配信用広告情報に組み込まれたウェブ閲覧誘導要素に対するユーザの操作があったか否かを判定する。ログ情報送信部４０５は、ウェブ閲覧誘導要素に対するユーザの操作があった場合、ステップＳ１１８に進み、なかった場合、ステップＳ１２０に進む。
【００８６】
ステップＳ１１８にて、ログ情報送信部４０５は、興味フラグＦを１だけインクリメント（増加）させて、ステップＳ１２０に進む。
【００８７】
ステップＳ１２０にて、ログ情報送信部４０５は、興味フラグＦを含むログ情報を生成（取得）し、広告配信サーバ２０に送信する。これにより、広告配信サーバ２０は、配信用広告情報に組み込まれたナビゲーション要素に対するユーザの操作の有無を示すログ情報を取得することができる。そのため、広告配信サーバ２０の効果検証部２０７は、ログ情報に含まれる興味フラグＦに基づき、ユーザの興味の有無や興味の程度を把握することができる。
【００８８】
［広告情報に関連する施設の情報提供方法］
次に、図６（図６Ａ〜図６Ｅ）を参照して、広告関連施設の情報提供方法の具体例について説明する。
【００８９】
図６Ａ〜図６Ｅは、広告配信システム１による広告関連施設の情報提供方法の一例を説明する図である。具体的には、図６Ａ、図６Ｂは、ユーザ端末４０における広告関連施設へのルート案内処理の一例を概略的に示すフローチャートである。本フローチャートの処理は、例えば、表示装置４６に表示される配信用広告情報のルート案内要素に対するユーザの操作が行われた場合に実行される。図６Ｃ〜図６Ｅは、ユーザ端末４０の表示装置４６に表示されるルート案内画面の具体例（ルート案内画面６１０〜６３０）を示す図である。
【００９０】
尚、図６Ａ、図６Ｂのルート案内処理は、ユーザ端末４０が自律的に実行してもよいし、広告配信サーバ２０（例えば、広告情報配信部２０４）からユーザ端末４０に出力される指令に応じて、ユーザ端末４０が広告配信サーバ２０の制御下で実行してもよい。後者の場合、ユーザの操作状態や表示装置４６の表示状態等の情報がユーザ端末４０から広告配信サーバ２０に逐次送信されることにより、広告配信サーバ２０は、ユーザ端末４０に適宜指令を送信することができる。
【００９１】
以下、図６Ａ、図６Ｂのフローチャートの処理は、図４Ａのルート案内アイコン４１１Ｃに対するユーザの操作が行われた場合を中心に説明を進める。
【００９２】
図６Ａに示すように、ステップＳ２０２にて、広告情報表示処理部４０１は、ユーザが所定の目的地までの移動中かどうかを判定する。例えば、広告情報表示処理部４０１は、ユーザがルート案内アプリにより設定した目的地までのルート案内機能を利用中であるか否かを確認することで、当該判定を行ってよい。また、広告情報表示処理部４０１は、ユーザが車両に乗車している場合、例えば、当該車両のナビゲーション装置と所定の近距離通信（例えば、ブルートゥース（登録商標）通信）を行い、ナビゲーション装置で目的地までのルート案内が実行中であるか否かを確認することにより、当該判定を行ってもよい。また、広告情報表示処理部４０１は、ユーザの過去の移動履歴と、ユーザの現在の移動状況とを比較し、ユーザが過去に行ったことがある場所に向かっているか否かを判断することにより、当該判定を行ってもよい。このとき、ユーザの過去の移動履歴や、ユーザの現在の移動状況は、例えば、携帯端末としてのユーザ端末４０のＧＮＳＳモジュールで取得される位置情報に基づき把握されてよい。広告情報表示処理部４０１は、ユーザが所定の目的地までの移動中である場合、ステップＳ２０４に進み、それ以外の場合、ステップＳ２３８に進む。
【００９３】
ステップＳ２０４にて、ルート案内部４０３は、広告アプリ（広告情報表示処理部４０１）の制御下で、目的地までの現在のルート沿いで広告関連施設を探索する。以下、本フローチャートのルート案内部４０３の動作は、広告アプリと連動し、広告情報表示処理部４０１の制御下で行われる。
【００９４】
ステップＳ２０６にて、ルート案内部４０３は、目的地までの現在のルート沿いで広告関連施設が見つかったか否かを判定する。ルート案内部４０３は、目的地までの現在のルート沿いで広告関連施設が見つかった場合、ステップＳ２０８に進み、見つからなかった場合、ステップＳ２１４に進む。
【００９５】
ステップＳ２０８にて、ルート案内部４０３は、ルート案内画面上で、見つかった広告関連施設を現在のルート沿いの経由地として提案する。
【００９６】
例えば、図６Ｃに示すように、ルート案内画面６１０では、出発地６１１から目的地６１２までの現在のルート６１３沿いで、"バーガー○○○○"の店舗６１４が表示されている。そして、ルート案内画面６１０では、下端部に、"バーガー○○○○"の店舗６１４を現在のルート沿いの経由地として提案するポップアップ６１５が表示される。ユーザは、入力装置４７を通じて、ポップアップ６１５内の承諾アイコン６１５Ａを操作することにより、店舗６１４を経由地として設定することができ、一方、ポップアップ６１５内の拒否アイコン６１５Ｂを操作することにより、店舗６１４の経由地としての設定を拒否することができる。
【００９７】
図６Ａに戻り、ステップＳ２１０にて、ルート案内部４０３は、ステップＳ２０８の提案に対して、ユーザの承諾操作があったか否かを判定する。ルート案内部４０３は、承諾操作があった場合、ステップＳ２１２に進み、承諾操作がなかった、つまり、拒否操作があった場合、今回の処理を終了する。
【００９８】
図６Ｂに示すように、ステップＳ２１２にて、ルート案内部４０３は、現在のルート沿いで見つかった広告関連施設を現在のルートの経由地に設定し、今回の処理を終了する。これにより、ルート案内部４０３は、ルート案内画面上で、現在のルート沿いに現在地から経由地（広告関連施設）までのルート案内を開始する。
【００９９】
一方、図６Ａに示すように、ステップＳ２１４にて、ルート案内部４０３は、現在のルートの周辺の目的地までの別ルート沿いで広告関連施設の探索を行う。このとき、現在のルートの周辺の目的地までの別ルートは、例えば、現在のルートを利用する場合に対して、目的地への到着時刻の遅れが相対的に短くなるように（例えば、１０分以内の範囲で）決定されてよい。
【０１００】
ステップＳ２１６にて、ルート案内部４０３は、現在のルートの周辺の目的地までの別ルート沿いで広告関連施設が見つかったか否かを判定する。ルート案内部４０３は、現在のルートの周辺の目的地までの別ルート沿いで広告関連施設が見つかった場合、ステップＳ２１８に進み、見つからなかった場合、ステップＳ２２４に進む。
【０１０１】
ステップＳ２１８にて、ルート案内部４０３は、ルート案内画面上で、見つかった広告関連施設沿いを通過する別ルートを提案する。
【０１０２】
例えば、図６Ｄに示すように、ルート案内画面６２０で、出発地６２１から目的地６２２までの現在のルート６２３の周辺の別ルート６２４沿いで"バーガー○○○○"の店舗６２５が表示されている。そして、ルート案内画面６２０では、下端部に、"バーガー○○○○"の店舗６２５沿いを通過する別ルート６２４への案内ルートの変更を提案するポップアップ６２６が表示される。ユーザは、入力装置４７を通じて、ポップアップ６２６内の承諾アイコン６２６Ａを操作することにより、案内ルートを、店舗６２５沿いを通過する別ルート６２４に変更することができ、一方、ポップアップ６２６内の拒否アイコン６２６Ｂを操作することにより、別ルート６２４への案内ルートの変更を拒否することができる。
【０１０３】
ステップＳ２２０にて、ルート案内部４０３は、ステップＳ２１８の提案に対して、ユーザの承諾操作があったか否かを判定する。ルート案内部４０３は、承諾操作があった場合、ステップＳ２２２に進み、承諾操作がなかった、つまり、許否操作があった場合、今回の処理を終了する。
【０１０４】
図６Ｂに示すように、ステップＳ２２２にて、ルート案内部４０３は、見つかった広告関連施設沿いを通過する別ルートでのルート案内に変更すると共に、当該広告関連施設を経由地として設定し、今回の処理を終了する。これによりルート案内部４０３は、ルート案内画面上で、別ルートに沿いに現在地から経由地（広告関連施設）までのルート案内を開始する。
【０１０５】
一方、図６Ａに示すように、ステップＳ２２４にて、広告情報表示処理部４０１は、対象の配信用広告情報と同じジャンルの過去に配信された有効期限内の配信用広告情報を抽出する。例えば、図４Ａのように、ハンバーガーの提供に関する配信用広告情報が対象である場合、同じジャンルのハンバーガーの提供に関する過去に配信された有効期限内の配信用広告情報（例えば、図４Ｂの配信用広告情報４２０）を抽出する。このとき、広告情報表示処理部４０１は、広告配信サーバ２０に抽出を依頼してもよいし、ユーザ端末４０にプッシュ配信された有効期限内の配信用広告情報の履歴（ログ）等から自身で抽出を行ってもよい。
【０１０６】
尚、本ステップにて、広告情報表示処理部４０１は、同じジャンルだけでなく、類似するジャンルまで抽出範囲を広げてもよい。例えば、図４Ａのように、ハンバーガーの提供に関する配信用広告情報が対象である場合、ハンバーガーと類似する他の種類のファストフードの提供に関する過去に配信された有効期限内の配信用広告情報が抽出されてもよい。
【０１０７】
ステップＳ２２６にて、広告情報表示処理部４０１は、ステップＳ２２４で抽出された配信用広告情報の中にユーザが興味を持った配信用広告情報があるか否かを判定する。具体的には、広告情報表示処理部４０１は、抽出した過去の配信用広告情報に対応するログ情報に基づき、抽出した過去の配信用広告情報にユーザが興味を持ったか否かを把握することにより、当該判定を行ってよい。広告情報表示処理部４０１は、ユーザが興味を持った配信用広告情報がある場合、ステップＳ２２８に進み、ユーザが興味を持った配信用広告情報がない場合、今回の処理を終了する。
【０１０８】
尚、本ステップの処理は省略されてもよい。つまり、ユーザの興味の有無に依らず、ステップＳ２２４で抽出された過去の配信用広告情報を対象として、後述のステップＳ２２８以降の処理が行われてもよい。
【０１０９】
図６Ｂに示すように、ステップＳ２２８にて、ルート案内部４０３は、目的地までの現在のルート沿いで、ユーザが興味を持った過去の配信用広告情報に対応する広告関連施設を探索し、ステップＳ２３０に進む。
【０１１０】
ステップＳ２３０にて、ルート案内部４０３は、目的地までの現在のルート沿いで、ユーザが興味を持った過去の配信用広告情報に対応する広告関連施設が見つかったか否かを判定する。ルート案内部４０３は、目的地までの現在のルート沿いで、広告関連施設が見つかった場合、ステップＳ２３２に進み、見つからなかった場合、今回の処理を終了する。
【０１１１】
尚、ルート案内部４０３は、目的地までの現在のルート沿いでユーザが興味を持った過去の配信用広告情報に対応する広告関連施設が見つからなかった場合、ステップＳ２１４の場合と同様、探索範囲を現在のルートの周辺の別ルートまで広げて、再度、広告関連施設の探索を行ってもよい。そして、広告関連施設が見つかった場合、ステップＳ２１８〜ステップＳ２２２と同様の処理が実行される一方、広告関連施設が見つからなかった場合、今回の処理が終了されてよい。
【０１１２】
ステップＳ２３２にて、ルート案内部４０３は、ルート案内画面上で、ユーザが興味を持った過去の配信用広告情報に対応する広告関連施設を現在のルート沿いの経由地として提案する。
【０１１３】
例えば、図６Ｅに示すように、ルート案内画面６３０では、出発地６３１から目的地６３２までの現在のルート６３３沿いで、図４Ａの配信用広告情報４１０と同じジャンルの図４Ｂの配信用広告情報４２０に対応する"□□□□バーガー"の店舗６３４が表示されている。そして、ルート案内画面６３０では、下端部に、"□□□□バーガー"の店舗６３４を現在のルート沿いの経由地として提案するポップアップ６３５が表示される。ユーザは、入力装置４７を通じて、ポップアップ６３５内の承諾アイコン６３５Ａを操作することにより、店舗６３４を経由地として設定することができ、一方、ポップアップ６３５内の拒否アイコン６３５Ｂを操作することにより、店舗６３４の経由地としての設定を拒否することができる。
【０１１４】
図６Ｂに戻り、ステップＳ２３４にて、ルート案内部４０３は、ステップＳ２３２の提案に対して、ユーザの承諾操作があったか否かを判定する。ルート案内部４０３は、承諾操作があった場合、ステップＳ２３６に進み、承諾操作がなかった、つまり、許否操作があった場合、今回の処理を終了する。
【０１１５】
ステップＳ２３６にて、ルート案内部４０３は、現在のルート沿いで見つかった、過去の配信用広告情報に対応する広告関連施設を現在のルートの経由地に設定し、今回の処理を終了する。これにより、ルート案内部４０３は、ルート案内画面上で、現在のルート沿いに現在地から経由地（過去の配信用広告情報に対応する広告関連施設）までのルート案内を開始する。
【０１１６】
一方、ステップＳ２３８にて、ルート案内部４０３は、対象の広告配信情報に対応する、ユーザの現在地から最も近い広告関連施設までのルートを提案し、今回の処理を終了する。
【０１１７】
尚、本ステップにて、ルート案内部４０３は、上述の如く、ユーザの過去の移動履歴を考慮して、ルート案内対象の広告関連施設を選択してもよい。
【０１１８】
［本実施形態の作用］
次に、図７（図７Ａ、図７Ｂ）を参照して、本実施形態に係る広告配信システム１の作用について、説明する。
【０１１９】
図７Ａは、比較例に係る広告配信システムで配信される広告情報に関連するユーザの行動を説明する図である。図７Ｂは、本実施形態に係る広告配信システム１で配信される広告情報（配信用広告情報）に関連するユーザの情報の行動を説明する図である。
【０１２０】
本実施形態では、広告情報配信部２０４（広告情報表示処理部４０１）は、ユーザ端末４０の表示装置４６に、ユーザをその内容に関連する所定の行動に誘導するナビゲーション要素を含む広告情報を表示させる。
【０１２１】
これにより、広告配信サーバ２０（ユーザ端末４０）は、広告情報に組み込まれるナビゲーション要素を利用して、広告情報に興味を持ったユーザを、ユーザ端末４０上で広告情報の内容に関連する所定の行動に誘導することができる。よって、広告配信サーバ２０は、ナビゲーション要素を通じて所定の行動が行われたか否かを把握することにより、広告配信後のより速いタイミングで、対象のユーザが広告情報に興味をもっているか否かをより高い確度で判断することができる。
【０１２２】
具体的には、ナビゲーション要素は、例えば、ユーザ端末４０のスケジューラ機能を用いた、広告関連施設に向かう予定登録にユーザを誘導する予定登録誘導要素、ユーザ端末４０のルート案内機能を用いた、広告関連施設へのルート案内にユーザを誘導するルート案内誘導要素、及びユーザ端末４０のブラウザ機能を用いた、広告情報に関するウェブページの閲覧にユーザを誘導するウェブ閲覧誘導要素の少なくとも一つを含んでよい。
【０１２３】
これにより、広告配信サーバ２０（ユーザ端末４０）は、具体的なナビゲーション要素（予定登録誘導要素、ルート案内誘導要素、及びウェブ閲覧誘導要素）を通じて、ユーザ端末４０上で具体的な行動を行わせることができる。
【０１２４】
例えば、図７Ａに示すように、広告情報にナビゲーション要素が組み込まれない比較例の場合、広告配信システムは、ユーザがプッシュ配信された広告情報を開封したか否かと、ユーザが広告情報に含まれるクーポンを実際に利用したか否かしか把握することができない。そのため、広告配信システムは、配信後の相対的に早いタイミングで広告情報の開封の有無を把握できるものの、興味がなくてもユーザが広告情報を開封してしまう可能性も高く、実際にユーザが広告情報に興味を持ったかどうかを明確に判断することはできない。一方、広告配信システムは、クーポンの利用の有無により、ユーザが広告情報に興味を持ったかどうかをある程度明確に判断できるものの、広告情報の配信後、クーポンが実際に利用されるまでその判断を行うことができない。
【０１２５】
これに対して、図７Ｂに示すように、本実施形態では、広告配信システム１は、広告配信後、広告情報に組み込まれたナビゲーション要素を通じて、ユーザが広告情報に関連する予定登録、ルート案内、ウェブ閲覧等の所定の行動を行ったかどうかを把握できる。そして、予定登録、ルート案内、ウェブ閲覧等のユーザ端末４０におけるユーザの行動は、ユーザがある程度広告情報に興味を持ったことを表している。よって、広告配信システム１は、広告配信後の相対的に早いタイミングにおいて、ユーザが広告情報に興味を持ってくれたか否かをより高い確度で判断することができる。また、広告配信システム１は、広告配信後の相対的に早いタイミング、具体的には、クーポンの利用前に広告情報に興味を持ったか否かを把握できる。そのため、広告配信システム１は、例えば、興味を持ったユーザに対する同じ広告主からの追加の広告情報（例えば、アップグレードクーポン）を配信する機会を設けることができ、店舗への集客等に更なる効果をもたらすことができる。よって、広告配信システム１は、広告情報の配信による効果を更に向上させることができる。
【０１２６】
また、本実施形態では、広告情報配信部２０４（広告情報表示処理部４０１）は、ユーザが所定の目的地までの移動中に、一の広告情報に対応するルート案内誘導要素が操作された場合、目的地までの現在の移動ルートの周辺において、一の広告情報に対応する広告関連施設があるときに、当該広告関連施設を経由地として、ユーザにユーザ端末４０を通じて提案してよい。また、広告情報配信部２０４は、現在の移動ルートの周辺に一の広告情報に対応する広告関連施設がないときに、現在の移動ルートの周辺において、一の広告情報と同じ或いは類似するジャンルの他の広告情報に対応する広告関連施設を経由地として、ユーザにユーザ端末４０を通じて提案してよい。
【０１２７】
これにより、広告配信サーバ２０（ユーザ端末４０）は、一の広告情報のルート案内機能を用いるためのナビゲーション要素（ルート案内誘導要素）の操作に応じて、ユーザが目的地までの移動中に立ち寄りやすい一の広告情報に対応する広告関連施設を現在の移動ルートの経由地として提案することができる。また、広告配信サーバ２０（ユーザ端末４０）は、一の広告情報に対応する広告関連施設が現在の移動ルート周辺にない場合であっても、例えば、ユーザが過去に興味を持った同じジャンル或いは類似するジャンルの他の広告情報に対応する広告関連施設を、ユーザの現在の移動ルートの周辺で提案することもできる。よって、ユーザの利便性を向上させることができる。
【０１２８】
また、本実施形態では、広告情報配信部２０４（広告情報表示処理部４０１）は、ユーザが目的地までの移動中に、一の広告情報に対応するルート案内誘導要素が操作された場合、現在の移動ルート沿いの一の広告情報に対応する広告関連施設があるときに、当該広告関連施設を経由地として、ユーザ端末４０を通じてユーザに提案し、現在の移動ルート沿いに一の広告情報に対応する広告関連施設が無いときに、移動ルートの周辺における目的地までの別の移動ルート沿いの一の広告情報に対応する広告関連施設を経由地として、ユーザ端末４０を通じユーザに提案してよい。
【０１２９】
これにより、広告配信サーバ２０（ユーザ端末４０）は、目的地までの現在の移動ルートの周辺で広告関連施設を提案する際に、現在の移動ルート沿いに一の広告情報に対応する広告関連施設がなくても、現在の移動ルートの周辺の別のルート沿いの一の広告情報に対応する広告関連施設を提案することができる。よって、広告配信サーバ２０は、ユーザの利便性を更に向上させることができる。
【０１３０】
また、本実施形態では、広告情報配信部２０４（広告情報表示処理部４０１）は、ユーザの移動履歴に関する情報に基づき、ルート案内及び予定登録のうちの少なくとも一方に対応する広告関連施設を決定してよい。
【０１３１】
これにより、広告配信サーバ２０（ユーザ端末４０）は、ユーザの移動履歴に関する情報に基づき、ユーザの過去の移動経路や行動範囲等を把握することができる。そのため、広告配信サーバ２０（ユーザ端末４０）は、広告情報に含まれるナビゲーション要素の操作に基づく予定登録やルート案内に対応する広告関連施設を、ユーザの移動経路や行動範囲等に合わせて決定することができる。よって、広告配信サーバ２０は、ユーザの利便性を向上させることができる。
【０１３２】
また、本実施形態では、広告情報配信部２０４は、ユーザ端末４０の表示装置４６に表示させるための広告情報を、所定の方法でユーザに向けて配信してよい。
【０１３３】
これにより、広告配信サーバ２０は、広告情報をユーザ端末４０で閲覧可能な方法でユーザに配信することにより、ユーザ端末４０の表示装置４６にナビゲーション要素が組み込まれた広告情報を表示させることができる。
【０１３４】
尚、広告情報配信部２０４は、ユーザ端末４０にインストールされる広告アプリを用いて、直接的にユーザ端末４０に広告情報をプッシュ配信することに代えて、或いは、加えて、他の方法で、ユーザに向けて広告情報を配信してもよい。例えば、広告情報配信部２０４は、広告情報をユーザのメールアドレスやＳＮＳ（Social Networking Service）のアカウントに配信してもよい。
【０１３５】
また、本実施形態では、ログ情報取得部２０５（ログ情報送信部４０５）は、広告情報に組み込まれたナビゲーション要素を通じてユーザ端末４０でユーザにより所定の行動が行われたか否かを示す、ログ情報を取得してよい。
【０１３６】
これにより、広告配信サーバ２０（ユーザ端末４０）は、具体的に、ユーザ端末４０に表示された広告情報のナビゲーション要素を通じて、ユーザによる所定の行動が行われたか否かを把握することができる。
【０１３７】
また、本実施形態では、効果検証部２０７は、ログ情報取得部２０５により取得されたログ情報に基づき、広告情報の配信による効果検証を行ってよい。
【０１３８】
これにより、広告配信サーバ２０は、ログ情報から各ターゲットユーザがナビゲーション要素を通じて所定の行動を行ったか否かを把握することにより、配信した広告情報の効果検証を行うことができる。
【０１３９】
以上、本発明を実施するための形態について詳述したが、本発明はかかる特定の実施形態に限定されるものではなく、特許請求の範囲に記載された本発明の要旨の範囲内において、種々の変形・改良が可能である。
【符号の説明】
【０１４０】
１  広告配信システム
２０  広告配信サーバ（情報処理装置）
４０  ユーザ端末（情報処理装置）
２０１  広告情報受付部
２０２  広告情報記憶部
２０３  配信ターゲット抽出部
２０４  広告情報配信部（制御部）
２０５  ログ情報取得部
２０６  ログ情報記憶部
２０７  効果検証部（検証部）
４０１  広告情報表示処理部（制御部）
４０２  スケジューラ部
４０３  ルート案内部
４０４  ウェブブラウザ部
４０５  ログ情報送信部（ログ情報取得部）
【図１】
2020119258.tif 000003
【図２】
2020119258.tif 000004
【図３】
2020119258.tif 000005
【図４Ａ】
2020119258.tif 000006
【図４Ｂ】
2020119258.tif 000007
【図５】
2020119258.tif 000008
【図６Ａ】
2020119258.tif 000009
【図６Ｂ】
2020119258.tif 000010
【図６Ｃ】
2020119258.tif 000011
【図６Ｄ】
2020119258.tif 000012
【図６Ｅ】
2020119258.tif 000013
【図７Ａ】
2020119258.tif 000014
【図７Ｂ】
2020119258.tif 000015